(57)【特許請求の範囲】
【請求項１】
樹脂材に形成された取付孔の内側に電極が配され、前記取付孔に導電性を有するインサート部材を圧入するインサート構造において、
前記インサート部材の挿入側端部の外周に圧入時に押し出される樹脂材が流入される溝部を設け、
前記インサート部材の挿入側端部に、前記インサート部材の外周で圧入方向に対して前記溝部よりも後方に形成される大径部よりも小径とされて前記取付孔の内側に突出して前記電極に当接する蓋部を設け、
前記インサート部材を前記取付孔に圧入した場合、前記蓋部が前記溝部に流入した樹脂材の流出を規制すると共に、前記蓋部が前記取付孔の内側に突出して前記電極に電気的に導通することを特徴とするインサート構造。
【発明の詳細な説明】
【０００１】
【発明の属する技術分野】
本発明は樹脂材に形成された取付孔にインサート部材を圧入するインサート構造に関する。
【０００２】
【従来の技術】
図７は従来のインサート構造を示す縦断面図である。
【０００３】
図７に示されるように、樹脂材により成形された樹脂ケース１には、インサートナット（インサート部材）２が圧入される取付孔３が設けられている。インサートナット２は、導電性を有する金属により円筒状に形成されており、外径が取付孔３の内径よりも大径に形成されている。
【０００４】
インサートナット２は、内周にめねじ２ａが加工されており、圧入側端部２ｂの外周角部には、面取り２ｃが設けられている。そして、樹脂ケース１の取付孔３にインサートナット２を圧入する場合、インサートナット２を加熱した後、面取り２ｃが設けられた端部を先頭にしてインサートナット２を取付孔３に圧入する。その際、インサートナット２は、圧入側端部２ｂが取付孔３の内壁を圧入方向に変形させながら圧入される。
【０００５】
【発明が解決しようとする課題】
しかしながら、従来のインサート構造では、前述したようにインサートナット２が取付孔３の内壁を圧入方向に変形させながら圧入されるため、取付孔３の出口側に樹脂材が盛り上がってしまいインサートナット２の圧入側端部２ｂが樹脂材の盛り上がり部４に覆われてしまう。
【０００６】
従って、従来は、インサートナット２の圧入側端部２ｂに電極５を接触させる場合、電極５が盛り上がり部４に接触するだけでインサートナット２に導通できないという問題があった。
【０００７】
そのため、従来は、インサートナット２を取付孔３に圧入した後、盛り上がり部４を削除する作業が必要になり、作業効率が低下すると共に、盛り上がり部４を削除した後が外観的に見苦しいという問題もあった。
【０００８】
そこで、本発明は上記課題を解決したインサート構造を提供することを目的とする。
【０００９】
【課題を解決するための手段】
本発明は上記課題を解決するため、以下のような特徴を有する。
【００１０】
本発明は、樹脂材に形成された取付孔の内側に電極が配され、前記取付孔に導電性を有するインサート部材を圧入するインサート構造において、
前記インサート部材の挿入側端部の外周に圧入時に押し出される樹脂材が流入される溝部を設け、
前記インサート部材の挿入側端部に、前記インサート部材の外周で圧入方向に対して前記溝部よりも後方に形成される大径部よりも小径とされて前記取付孔の内側に突出して前記電極に当接する蓋部を設け、
前記インサート部材を前記取付孔に圧入した場合、前記蓋部が前記溝部に流入した樹脂材の流出を規制すると共に、前記蓋部が前記取付孔の内側に突出して前記電極に電気的に導通することを特徴とする。
そのため、本発明によれば、インサート部材を取付孔に圧入した場合、圧入方向に変形された樹脂材が溝部に移動して取付孔の出口側に盛り上がることを防止できると共に、蓋部が取付孔の内側に突出して蓋部が取付孔の出口を覆うため、蓋部に電極を直接接触させることが可能になる。
【００１１】
【発明の実施の形態】
以下、図面と共に本発明の一実施例について説明する。
【００１２】
図１は本発明になるインサート構造の一実施例が適用された磁気ディスク装置の斜視図である。
【００１３】
図１に示されるように、磁気ディスク装置１０は、樹脂成形品からなる樹脂ケース１２内に磁気ヘッドを有するヘッドキャリッジ、ディスク状記録媒体を回転駆動するターンテーブル、ディスク状記録媒体をターンテーブルに装着する装着装置などが収容されている。樹脂ケース１２の後面１２ａには、コネクタ１４が突出するように取り付けられている。また、コネクタ１４の左右両側には、一対のインサートナット（インサート部材）１６が圧入されている。
【００１４】
そして、コネクタ１８は、前面１８ａにコネクタ１４に接続される接続ピン（図示せず）を有し、後部１８ｂにパーソナルコンピュータ等に接続されるケーブル２０が引き出されている。また、コネクタ１８の左右に突出する取付部１８ｃ，１８ｄには、インサートナット１６に螺入される一対の取付ねじ２２が挿通されている。
【００１５】
図２はインサートナット１６及び取付孔を拡大して示す斜視図である。図３はインサートナット１６及び取付孔を拡大して示す縦断面図である。
【００１６】
図２及び図３に示されるように、樹脂ケース１２の後面１２ａには、インサートナット１６を圧入するための取付孔２４が設けられている。
【００１７】
取付孔２４は、入り口側の挿入ガイド孔２４ａと、出口側の挿入ガイド孔２４ｂとを有する。挿入ガイド孔２４ａの内径Ｄ１は、挿入ガイド孔２４ｂの内径Ｄ２よりも大径である（Ｄ１＞Ｄ２）。
【００１８】
また、インサートナット１６は、導電性を有する金属により円筒状に形成されており、内周に取付ねじ２２が螺入されるめねじ１６ａが形成され、外周には入り口側の挿入ガイド孔２４ａに嵌合される大径部１６ｃと、出口側の挿入ガイド孔２４ｂに嵌合される蓋部１６ｄと、大径部１６ｃと蓋部１６ｄとの間に形成された溝部１６ｅとが形成されている。大径部１６ｃの外周には、アヤ目ローレット加工が施されており、網目状の溝が形成されている。このアヤ目ローレット加工による凹凸形状により挿入ガイド孔２４ｂに内壁に食い込むことができ、樹脂ケース１２に対して回転方向に滑ることが確実に防止される。
【００１９】
また、蓋部１６ｄは、外周角部に面取り１６ｆが設けられて挿入しやすい形状に加工されると共に、挿入ガイド孔２４ｂを通過して出口側から挿入ガイド孔２４ｂを塞ぐように配置される。さらに、インサートナット１６の溝部１６ｅの形状は、樹脂材の充填量を多くするため四角形に形成されている。
【００２０】
ここで、上記のように構成されたインサートナット１６を取付孔２４に圧入する際の操作について説明する。
【００２１】
図４はインサートナット１６を取付孔２４に挿入した状態を示す縦断面図である。図５はインサートナット１６を取付孔２４に圧入した状態を示す縦断面図である。
【００２２】
図４に示されるように、圧入用治具（図示せず）等を用いて加熱されたインサートナット１６を取付孔２４に挿入し、圧入側端部としての蓋部１６ｄを出口側の挿入ガイド孔２４ｂに嵌合させると共に、大径部１６ｃを入り口側の挿入ガイド孔２４ａに嵌合される。この状態では、取付孔２４の内壁が変形されていない。
【００２３】
さらに、インサートナット１６を圧入方向に押圧すると、図５に示されるように、大径部１６ｃの角部が出口側の挿入ガイド孔２４ｂの内壁を圧入方向に変形させながら挿入ガイド孔２４ｂに圧入される。このように、大径部１６ｃの角部に押圧されて圧入方向に変形された樹脂材は、溝部１６ｅに移動する。
【００２４】
そのため、インサートナット１６が取付孔２４に圧入されたとき、溝部１６ｅには樹脂材が充填されており、圧入方向に変形された樹脂材が取付孔２４の出口側に盛り上がることが防止される。よって、インサートナット１６は、圧入側端部としての蓋部１６ｄが取付孔２４の出口より樹脂ケース１２内に突出すると共に、取付孔２４の出口側を塞ぐ。従って、従来のように樹脂材の盛り上がり部を削除する作業が不要になるので、作業効率を高めることができると共に、圧入後の状態が外観的にもきれいに仕上げることができる。
【００２５】
また、インサートナット１６の圧入操作により圧入方向に変形された樹脂材が溝部１６ｅに食い込むように充填されるため、圧入後の冷却で樹脂材が固化すると、インサートナット１６の抜けが防止される。よって、インサートナット１６は、大径部１６ｃが挿入ガイド孔２４ｂを拡径しながら圧入されると共に、溝部１６ｅに充填された樹脂材により確実に固定される。
【００２６】
図６は樹脂ケース１２内に収容された電極がインサートナット１６に接触した状態を示す縦断面図である。
【００２７】
図６に示されるように、インサートナット１６は、取付孔２４の出口側に樹脂材を盛り上げることなく圧入されるため、蓋部１６ｄを取付孔２４から突出させた状態に取り付けられる。従って、樹脂ケース１２内に収容された板バネ状の電極２６は、確実にインサートナット１６の蓋部１６ｄに当接する。これにより、電極２６は、インサートナット１６と電気的に導通される。
【００２８】
尚、上記実施例では、インサートナット１６を樹脂ケース１２の取付孔２４に圧入する場合を一例として挙げたが、これに限らず、他の樹脂成形品の取付孔に金属製のインサート部品を圧入する場合にも適用できるのは勿論である。
【００２９】
また、上記実施例では、インサートナット１６を加熱して圧入する方法を用いたが、これに限らず、他の圧入方法にも適用できるのは勿論である。
【００３０】
また、インサートナット１６の溝部１６ｅの形状は、本実施例のように四角形でも良いし、あるいは円弧状等の他の形状としても良い。
【００３１】
【発明の効果】
上述の如く、本発明によれば、インサート部材の挿入側端部の外周に圧入時に押し出される樹脂材が流入される溝部を設け、インサート部材の挿入側端部に、取付孔の内側に突出して電極に当接する蓋部を設けたため、インサート部材を取付孔に圧入した場合、圧入方向に変形された樹脂材が溝部に移動して取付孔の出口側に盛り上がることを防止できると共に、蓋部が取付孔の内側に突出して蓋部が取付孔の出口を覆うため、蓋部に電極を直接接触させることができる。さらに、樹脂材の盛り上がり部を削除する作業が不要になって作業効率を高めることができると共に、外観的にもきれいに仕上げることができる。
【図面の簡単な説明】
【図１】本発明になるインサート構造の一実施例が適用された磁気ディスク装置の斜視図である。
【図２】インサートナット１６及び取付孔を拡大して示す斜視図である。
【図３】インサートナット１６及び取付孔を拡大して示す縦断面図である。
【図４】インサートナット１６を取付孔２４に挿入した状態を示す縦断面図である。
【図５】インサートナット１６を取付孔２４に圧入した状態を示す縦断面図である。
【図６】樹脂ケース１２内に収容された電極がインサートナット１６に接触した状態を示す縦断面図である。
【図７】従来のインサート構造を示す縦断面図である。
【符号の説明】
１０  磁気ディスク装置
１２  樹脂ケース
１４，１８  コネクタ
１６  インサートナット
２２  取付ねじ
２４  取付孔
２６  電極
【図１】
0003952690.tif 000002
【図２】
0003952690.tif 000003
【図３】
0003952690.tif 000004
【図４】
0003952690.tif 000005
【図５】
0003952690.tif 000006
【図６】
0003952690.tif 000007
【図７】
0003952690.tif 000008